(57)【要約】      （修正有）【課題】屋外での左官作業や塗装作業、その他の各種作業上着用する防水性の上衣として、身体にフイットする快適な着用感を得ると共に、腕を上方へ抵抗なく動かせるようにした作業用上衣を提供する。【解決手段】上方へ伸ばした長袖１２の袖口部１２ａから身頃本体１０の裾部１０ａへ行く程、徐々に広幅となる細長いほぼ等脚台形の襠１３を、長袖１２の脇部と身頃本体１０の体側部を連成させるように、その両斜辺１４Ｆ、１４Ｒに沿って縫製した。【選択図】図１
0003179652.tif 000002
【実用新案登録請求の範囲】
【請求項１】
上方へ伸ばした長袖（１２）の袖口部（１２ａ）から身頃本体（１０）の裾部（１０ａ）へ行く程、徐々に広幅となる細長いほぼ等脚台形の襠（１３）を、長袖（１２）の脇部と身頃本体（１０）の体側部を連成させるように、その両斜辺（１４Ｆ）（１４Ｒ）に沿って縫製したことを特徴とする作業用上衣。
【請求項２】
襠（１３）の両斜辺（１４Ｆ）（１４Ｒ）に沿って延在する縫製ライン（１４Ｆｘ）（１４Ｒｘ）（１４Ｆｙ）（１４Ｒｙ）を、長袖（１２）並びに身頃本体（１０）の内側から熱融着又は接着した防水テープ（１７）によって、目止め状態に密封したことを特徴とする請求項１記載の作業用上衣。
【請求項３】
襠（１３）の両斜辺（１４Ｆ）（１４Ｒ）に沿って延在する縫製ライン（１４Ｆｘ）（１４Ｒｘ）（１４Ｆｙ）（１４Ｒｙ）が身頃本体（１０）の体側部へ臨む個所に、ポケット袋（１９）の出入口（Ｏ）を形成すると共に、
その出入口（Ｏ）の開口縁部に開閉ファスナー（２１）を縫製したことを特徴とする請求項１又は２記載の作業用上衣。
【考案の詳細な説明】
【技術分野】
【０００１】
本考案は屋外での左官作業や塗装作業、その他の各種作業上着用する防水性の上衣に係り、殊更その作業手を動かしやすく改良したものである。
【背景技術】
【０００２】
この種の作業上衣として市販されている従来のヤッケでは、図９のようにその長袖（１）が１枚の布地から下端部（脇部）に沿って筒状に縫製されており、その言わば横方向の縫製ライン（ｘ）は身頃本体（２）の体側部における縦方向の縫製ライン（ｙ）と連続している。
【０００３】
しかも、その筒状をなす長袖（１）の付け根部（開口縁部）は身頃本体（２）に対して、肩口部と脇下部を連結する如く環状に縫製されており、その言わば斜め方向の縫製ライン（ｚ）が脇下部において、上記縫製ライン（ｙ）（ｘ）の縦横交叉点と結合している。
【０００４】
その結果、着用者が上記長袖（１）に通した腕（作業手）を上方へ伸ばすと、裾部のめくれ上がりや脇下部のひきつりなどを生じ、作業手の自由な動きを阻害するほか、脇下部での綻びを生じやすい問題もある。
【０００５】
そこで、サイズの大きな上衣を着用すると、そのフイット感の低下により却って動き難くなり、又上衣の一部を作業中に他物へ引っ掛ける危険も起るのである。
【０００６】
このような問題の対策案となる「動作適応の良い作業服」が、特許文献１に開示されている。
【先行技術文献】
【特許文献】
【０００７】
【特許文献１】実用新案登録第３０４４７７５号公報
【考案の概要】
【考案が解決しようとする課題】
【０００８】
ところが、上記特許文献１に開示された作業服の襠布（２）は、両端部へ行く程先細りになったほぼ菱形の平面形状を有し、長袖部（３）を上方へ伸ばした時でも、図３のような菱形の展開形状をなすため、脇下部だけに余裕を与えるに過ぎず、着用者が長袖部（３）に通した腕を上方へ伸ばして作業する時、依然として裾部のめくれ上がりや肩の圧迫などを起生し、作業手の自由な動きに抵抗を与えるおそれがある。
【課題を解決するための手段】
【０００９】
本考案はこのような課題の改良を目的としており、その目的を達成するために、請求項１では上方へ伸ばした長袖の袖口部から身頃本体の裾部へ行く程、徐々に広幅となる細長いほぼ等脚台形の襠を、長袖の脇部と身頃本体の体側部を連成させるように、その両斜辺に沿って縫製したことを特徴とする。
【００１０】
又、請求項２では襠の両斜辺に沿って延在する縫製ラインを、長袖並びに身頃本体の内側から熱融着又は接着した防水テープによって、目止め状態に密封したことを特徴とする。
【００１１】
更に、請求項３では襠の両斜辺に沿って延在する縫製ラインが身頃本体の体側部へ臨む個所に、ポケット袋の出入口を形成すると共に、
【００１２】
その出入口の開口縁部に開閉ファスナーを縫製したことを特徴とする。
【考案の効果】
【００１３】
請求項１の構成によれば、上方へ伸ばした長袖の袖口部から身頃本体の裾部へ行く程、徐々に広幅となる細長いほぼ等脚台形の輪郭形状をなす襠が、その両斜辺に沿って、長袖の脇部と身頃本体の体側部へ一連に縫製されており、脇下部や肩口部に縫製を有しないため、身体にフィットする良好な着用感を得られ、それにも拘らず着用者が長袖に通した腕（作業手）を、真上方向や斜め上方へ抵抗なく円滑に伸ばすことができ、作業動作に対応する優れた追従性を得られるのであり、従来品のような肩の圧迫や脇下部のひきつり、裾部のめくれ上がりなどを起生するおそれはない。
【００１４】
しかも、上記襠は１枚の生地から細長いほぼ等脚台形の輪郭形状に形成されているため、その両斜辺を直線の前側縫製ライン並びに後側縫製ラインとして、長袖の開口下端縁部（脇部）と身頃本体における前身頃並びに後身頃の体側部へ、その互いに等しく容易に縫製することができる。
【００１５】
その場合、身頃本体になる前身頃と後身頃の大きさ・輪郭形状を相互の均等に設定するならば、上記襠の輪郭形状が袖口部から裾部までの一定長さを有する細長いほぼ等脚台形であることとも相俟って、その縫製による上衣の量産効果を最大限に発揮させることも可能となる。
【００１６】
又、請求項２の構成を採用するならば、身頃本体と長袖に対する襠の縫製ラインから上衣の内部に浸透する雨水を、その縫製ラインに沿い内側（裏側）から熱融着又は接着された防水テープによって、完全に密封することができ、優れた防水性の上衣を得られるのである。
【００１７】
更に、請求項３の構成を採用するならば、ほぼ等脚台形をなす襠の斜辺と、身頃本体の体側部とを縫製する縫製ラインが、その身頃本体の前身頃に左右一対として、縦方向に沿い列設されることになるため、その縦方向に延在する縫製ラインの途上へ、ポケット袋の出入口を容易に効率良く形成することができ、その出入口の開口縁部へ開閉ファスナーをも体裁良く縫製し得る効果がある。
【図面の簡単な説明】
【００１８】
【図１】本考案に係る作業用上衣の第１実施形態を示す正面図である。
【図２】図２の背面図である。
【図３】図１の３−３線拡大断面図である。
【図４】図１から長袖を上方へ伸ばした展開状態の正面図である。
【図５】図４の側面図である。
【図６】本考案に係る作業用上衣の第２実施形態を示す正面図である。
【図７】図６の背面図である。
【図８】図６の８−８線拡大断面図である。
【図９】従来の作業用上衣（ヤッケ）を示す正面図である。
【考案を実施するための形態】
【００１９】
以下、図面に基いて本考案の実施形態を詳述すると、図１〜５はその作業用上衣（Ａ）の第１実施形態に係るヤッケを示しており、これは身頃本体（１０）とフード（１１）、左右一対づつの長袖（１２）並びに襠（添え布）（１３）とから構成されている。
【００２０】
これらの構成部材は何れもナイロンやポリエステル、ＥＶＡ（エチレン酢酸ビニール）、その他の伸縮性が少ない合成繊維から成り、その表面には洋傘と同様な撥水加工が施されており、屋外でも支障なく着用できるようになっている。
【００２１】
上記襠（１３）の各個は長袖（１２）の袖口部（１２ａ）から身頃本体（１０）の裾部（１０ａ）に到達するまでの一定長さ（Ｌ）を有し、長袖（１２）を図４のように上方へ伸ばした展開状態において、その袖口部（１２ａ）から裾部（１０ａ）へ（下方へ）行く程徐々に広幅となる図５のような細長いほぼ等脚台形の輪郭形状に形成されている。
【００２２】
その襠（１３）における袖口部（１２ａ）での一定幅（Ｗ１）は一例として約１０cm、同じく裾部（１０ａ）での一定幅（Ｗ２）は一例として約１９cmである。
【００２３】
そして、その襠（１３）のほぼ等脚台形をなす一方の斜辺（１４Ｆ）が前側として、図３のような断面ほぼ倒立Ｕ字形や倒立Ｖ字形に半折りされた長袖（１２）の前側開口下端縁部（脇部）と、身頃本体（１０）における前身頃（１０Ｆ）の体側部に沿って、図１のように連続的に縫製されている。（１４Ｆｘ）はその襠（１３）における長袖（１２）の脇部に沿って延在する横方向の前側縫製ライン、（１４Ｆｙ）は同じく襠（１３）における前身頃（１０Ｆ）の体側部に沿って延在する縦方向の前側縫製ラインを示している。
【００２４】
又、上記襠（１３）のほぼ等脚台形をなす他方の斜辺（１４Ｒ）は後側として、同じく図３のような断面ほぼ倒立Ｕ字形や倒立Ｖ字形に半折りされた長袖（１２）の後側開口下端縁部（脇部）と、身頃本体（１０）における後身頃（１０Ｒ）の体側部に沿って、図２のようにやはり連続的に縫製されている。（１４Ｒｘ）はその襠（１３）における長袖（１２）の脇部に沿って延在する横方向の後側縫製ライン、（１４Ｒｙ）は同じく襠（１３）における後身頃（１０Ｒ）の体側部に沿って延在する縦方向の後側縫製ラインを示している。
【００２５】
上記長袖（１２）の袖口部（１２ａ）よりも広幅な付け根部（断面ほぼ倒立Ｕ字形や倒立Ｖ字形に半折りされた開口基端縁部）は、身頃本体（１０）の前身頃（１０Ｆ）と後身頃（１０Ｒ）に対して言わばラグラン袖をなす如く、その身頃本体（１０）の首廻り部から上記襠（１３）における横方向の前側・後側縫製ライン（１４Ｆｘ）（１４Ｒｘ）と縦方向の前側・後側縫製ライン（１４Ｆｙ）（１４Ｒｙ）との交叉部にかけて、図１、２のように各々縫製されている。（１５Ｆｚ）（１５Ｒｚ）はその正・背面視の言わば斜め方向に延在する前側縫製ラインと後側縫製ラインを示している。
【００２６】
つまり、その前身頃（１０Ｆ）並びに後身頃（１０Ｒ）を含む身頃本体（１０）と、左右一対の長袖（１２）とを連結する上記斜め方向の前側縫製ライン（１５Ｆｚ）並びに後側縫製ライン（１５Ｒｚ）は、上記左右一対の襠（１３）における横方向の前側・後側縫製ライン（１４Ｆｘ）（１４Ｒｘ）と縦方向の前側・後側縫製ライン（１４Ｆｙ）（１４Ｒｙ）との交叉部に結合されており、上衣（Ａ）の脇下部まで到達していないのである。（Ｐ）はその交叉結合点を示している。
【００２７】
その結果、上衣（Ａ）を着用した作業者が、その長袖（１２）に通した腕（作業手）を上下方向や左右方向へ動かしても、殊更上方へ伸ばしても、脇下部のひきつりや裾部のめくれ上がり、肩部への負荷（圧迫）などを起生するおそれがなく、上記襠（１３）が特に身頃本体（１０）の裾部（１０ａ）から長袖（１２）の袖口部（１２ａ）まで延在する細長いほぼ等脚台形の輪郭形状をなすこととも相俟って、作業手の円滑（無抵抗）な動きと身体にフィットする快適な着用感を得られるのである。
【００２８】
尚、フード（１１）の付け根部は身頃本体（１０）並びに長袖（１２）と、上記首廻り部において縫製されている。（１６）はその首廻り部の縫製ラインを示している。
【００２９】
次に、図６〜８は本考案に係る作業衣（Ａ）の第２実施形態として、フード付きの簡易レインコートを示しており、その構成上図１〜５の上記第１実施形態と異なる点について説明すると、これでは身頃本体（１０）とフード（１１）、左右一対づつの長袖（１２）並びに襠（添え布）（１３）とから成る構成部材の表面に撥水性が与えられている一方、裏面にポリ塩化ビニール系樹脂コーティングやポリウレタン系樹脂コーティングなどの防水性が与えられている。
【００３０】
又、上記襠（１３）における長袖（１２）の脇部に沿って延在する横方向の前側・後側縫製ライン（１４Ｆｘ）（１４Ｒｘ）と、同じく襠（１３）における身頃本体（１０）の体側部に沿って延在する縦方向の前側・後側縫製ライン（１４Ｆｙ）（１４Ｒｙ）と、これらの縦横交叉部と身頃本体（１０）の首廻り部とを連結する斜め方向の前側・後側縫製ライン（１５Ｆｚ）（１５Ｒｚ）とは、その身頃本体（１０）や長袖（１２）、襠（１３）の内側（裏側）から防水テープ（１７）によって、目止め状態に密封されており、これらの縫い目から上衣（Ａ）の内部へ雨水が浸透しないようになっている。
【００３１】
つまり、加熱すると接着性を発揮する一定帯幅の防水テープ（１７）が、上記前側・後側縫製ライン（１４Ｆｘ）（１４Ｒｘ）（１４Ｆｙ）（１４Ｒｙ）（１５Ｆｚ）（１５Ｒｚ）の線上に沿って、上衣（Ａ）の内側（裏側）に熱融着又は接着されているのである。このような防水テープ（１７）は上記首廻り部の縫製ライン（１６）に沿っても、その上衣（Ａ）の内側（裏側）から同様に熱融着又は接着しておくことが好ましい。
【００３２】
更に、身頃本体（１０）における前身頃（１０Ｆ）の縦中心線上には防水性の開閉ファスナー（１８）が縫製されているほか、その前身頃（１０Ｆ）の下部位置には内側（裏側）から左右一対のポケット袋（１９）が取り付けられてもいる。しかも、そのポケット袋（１９）の各個は上記襠（１３）における前身頃（１０Ｆ）の体側部に沿って延在する縦方向の前側縫製ライン（１４Ｆｙ）と、身頃本体（１０）の据部を縁取る横方向の縫製ライン（２０）とを利用して、その前身頃（１０Ｆ）に取り付けられている。
【００３３】
そして、そのポケット袋（１９）の出入口（Ｏ）が上記縦方向の前側縫製ライン（１４Ｆｙ）上に沿って、一定高さ（Ｈ）分だけ言わば切り欠き状態に形成されており、その開口縁部に縫製されたポケット袋用開閉ファスナー（２１）によって、開閉することができるようになっている。
【００３４】
尚、図６〜８の第２実施形態におけるその他の構成は図１〜５の上記第１実施形態と実質的に同一であるため、その図６〜８に図１〜５との同一符号を記入するにとどめて、その詳細な説明を省略する。
【符号の説明】
【００３５】
（１０）・身頃本体
（１０ａ）・裾部
（１０Ｆ）・前身頃
（１０Ｒ）・後身頃
（１１）・フード
（１２）・長袖
（１２ａ）・袖口部
（１３）・襠
（１４Ｆ）（１４Ｒ）・斜辺
（１４Ｆｘ）（１４Ｆｙ）（１５Ｆｚ）・前側縫製ライン
（１４Ｒｘ）（１４Ｒｙ）（１５Ｒｚ）・後側縫製ライン
（１６）・首廻り縫製ライン
（１７）・防水テープ
（１８）（２１）・開閉ファスナー
（１９）・ポケット袋
（２０）・縁取り縫製ライン
（Ａ）・上衣
（Ｏ）・出入口
（Ｐ）・交叉結合点
【図１】
0003179652.tif 000003
【図２】
0003179652.tif 000004
【図３】
0003179652.tif 000005
【図４】
0003179652.tif 000006
【図５】
0003179652.tif 000007
【図６】
0003179652.tif 000008
【図７】
0003179652.tif 000009
【図８】
0003179652.tif 000010
【図９】
0003179652.tif 000011